(57)【特許請求の範囲】
【請求項１】
室内へ吹出す空調風の風量及び風向並びにコンプレッサの能力を制御することにより室内の空気調和を図る空気調和機であって、
省エネモードを含む複数の運転モードから所望の運転モードを選択する選択手段と、
前記選択手段により前記省エネモードが選択された場合、前記省エネモードが選択された時の運転モードが冷房運転モード及び暖房運転モードの場合は設定温度を運転モード毎に予め定めた所定温度にシフトし、前記省エネモードが選択された時の運転モードがドライ運転モードの場合は設定温度を前記省エネモードが選択された時の室温にシフトするシフト手段と、
前記省エネモードが選択された時に運転電流の最大電流値を抑制する抑制手段と、
を有する空気調和機。
【請求項２】
前記選択手段により前記省エネモードが選択された場合、前記風量を１／ｆゆらぎに基づいて制御する風量制御手段をさらに有する請求項１記載の空気調和機。
【請求項３】
前記選択手段により前記省エネモードが選択された場合、前記風向を変化させるフラップを１／ｆゆらぎに基づいて制御するフラップ制御手段をさらに有する請求項１または請求項２に記載の空気調和機。
【請求項４】
前記選択手段により前記省エネモードが選択され、かつ除湿運転モードである場合、前記コンプレッサの周波数を所定値低下させることを特徴とする請求項１乃至請求項３の何れか１項に記載の空気調和機。
【発明の詳細な説明】
【０００１】
【発明の属する技術分野】
本発明は、空気調和機に係り、より詳しくは、エネルギー消費を抑える省エネモードで空調運転を行うことができる空気調和機に関する。
【０００２】
【従来の技術】
室内の空気調和を図る空気調和機（以下「エアコン」という）は、コンプレッサの能力または室内へ吹出される空調風の風量や風向を制御することにより、室内の冷房（ドライ）または暖房運転を行うようになっている。
【０００３】
このようなエアコンでは、運転能力を抑えることにより不必要なエネルギー消費を抑える省エネモードが設定されているものがある。
【０００４】
省エネモードでは、例えば冷房運転では設定温度を高めにしたり、暖房運転では設定温度を低めにして空調運転を行うが、これだけではエネルギー消費をそれほど抑えることはできない。また、エネルギー消費を抑え過ぎると却って快適感が損なわれる場合がある。
【０００５】
【発明が解決しようとする課題】
本発明は上記事実に鑑みてなされたものであり、エネルギー消費を抑えつつ快適感が得られるような空調制御を行うことができる空気調和機を提案することを目的とする。
【０００６】
【課題を解決するための手段】
請求項１記載の発明は、室内へ吹出す空調風の風量及び風向並びにコンプレッサの能力を制御することにより室内の空気調和を図る空気調和機であって、省エネモードを含む複数の運転モードから所望の運転モードを選択する選択手段と、前記選択手段により前記省エネモードが選択された場合、前記省エネモードが選択された時の運転モードが冷房運転モード及び暖房運転モードの場合は設定温度を運転モード毎に予め定めた所定温度にシフトし、前記省エネモードが選択された時の運転モードがドライ運転モードの場合は設定温度を前記省エネモードが選択された時の室温にシフトするシフト手段と、前記省エネモードが選択された時に運転電流の最大電流値を抑制する抑制手段と、を有することを特徴としている。
【０００７】
請求項１記載の発明によれば、選択手段により省エネモードが選択された場合、シフト手段により前記省エネモードが選択された時の運転モードが冷房運転モード及び暖房運転モードの場合は設定温度を運転モード毎に予め定めた所定温度にシフトし、前記省エネモードが選択された時の運転モードがドライ運転モードの場合は設定温度を前記省エネモードが選択された時の室温にシフトする。例えば、冷房運転であれば設定温度を２８．５°Ｃに、暖房運転であれば設定温度を２０．５°Ｃにそれぞれ設定する。すなわち、冷房運転では通常の冷房運転の設定温度よりも高めに、暖房運転では通常の暖房運転の設定温度よりも低めに設定温度を設定することで運転能力を若干低下させる。また、ドライ運転時には選択手段により省エネモードが選択された時点での室温（２０°Ｃ〜２８°Ｃの範囲内に制限する）に設定する。これによりエネルギー消費を抑えることができる。
【０００８】
さらに、抑制手段により運転電流の最大電流値を抑制する。例えば、電気容量が２０Ａ（アンペア）の機種では１５Ａに、１５Ａの機種では１０Ａにそれぞれ切り換えることにより最大電流値が抑制され、よりエネルギー消費を抑えることができる。
【０００９】
請求項２記載の発明は、前記選択手段により前記省エネモードが選択された場合、前記風量を１／ｆゆらぎに基づいて制御する風量制御手段をさらに有することを特徴としている。
【００１０】
請求項２記載の発明によれば、省エネモード時には、風量を風量制御手段により１／ｆゆらぎに基づいて不規則に変化させるので、運転能力を若干低下させた省エネモードで運転した場合でも快適感を得ることができる。
【００１１】
請求項３記載の発明は、前記選択手段により前記省エネモードが選択された場合、前記風向を変化させるフラップを１／ｆゆらぎに基づいて制御するフラップ制御手段をさらに有することを特徴としている。
【００１２】
請求項３記載の発明によれば、省エネモード時には、風向を変化させるフラップを１／ｆゆらぎに基づいて不規則に変化させるので、運転能力を若干低下させた省エネモードで運転した場合でも快適感を得ることができる。
【００１３】
請求項４記載の発明は、前記選択手段により前記省エネモードが選択され、かつ除湿運転モードである場合、前記コンプレッサの周波数を所定値低下させることを特徴としている。
【００１４】
請求項４記載の発明によれば、省エネモード時の除湿運転では、コンプレッサの周波数を所定値、例えば４Ｈｚ低下させる。これによりエネルギー消費を抑えることができる。
【００１５】
【発明の実施の形態】
以下、図面を参照して本発明の実施の形態について詳細に説明する。
【００１６】
図１には本実施の形態に適用した空気調和機（以下「エアコン１０」という）が示されている。このエアコン１０は、室内ユニット１２と室外ユニット１４とによって構成されており、遠隔操作手段として設けられているワイヤレスリモコンスイッチ（以下「リモコン１２０」という）の操作によって運転／停止される。また、エアコン１０は、リモコン１２０で運転モード、設定温度等の運転条件が設定されて操作信号が送出されると、この操作信号を室内ユニット１２で受信して操作信号に基づいた運転が行われる。
【００１７】
図２には、エアコン１０の室内ユニット１２と室外ユニット１４との間に構成されている冷凍サイクルの概略が示されている。室内ユニット１２と室外ユニット１４の間には、冷媒を循環させる太管の冷媒配管１６Ａと、細管の冷媒配管１６Ｂが対で設けられており、それぞれの一端が室内ユニット１２に設けられている熱交換器１８に接続されている。
【００１８】
冷媒配管１６Ａの他端は、室外ユニット１４のバルブ２０Ａに接続されている。このバルブ２０Ａは、マフラー２２Ａを介して四方弁２４に接続されている。この四方弁２４には、それぞれがコンプレッサ２６に接続されているアキュムレータ２８とマフラー２２Ｂが接続されている。さらに、室外ユニット１４には、熱交換器３０が設けられている。この熱交換器３０は、一方が四方弁２４に接続され、他方がキャピラリチューブ３２、ストレーナ３４、電動膨張弁３６、モジュレータ３８を介してバルブ２０Ｂに接続されている。このバルブ２０Ｂには、冷媒配管１６Ｂの他端が接続されており、これによって、室内ユニット１２と室外ユニット１４の間に冷凍サイクルを形成する冷媒の密閉された循環路が構成されている。
【００１９】
エアコン１０は、コンプレッサ２６の運転によってこの冷凍サイクル中を冷媒が循環されることにより冷房または暖房運転が可能となっている。
【００２０】
すなわち、冷房モードでは、コンプレッサ２６によって圧縮された冷媒が熱交換器３０へ供給されることにより液化され、この液化された冷媒が室内ユニット１２の熱交換器１８で気化することにより、熱交換器１８を通過する空気を冷却する。また、暖房モードでは、逆に、コンプレッサ２６によって圧縮された冷媒が、室内ユニット１２の熱交換器１８で凝縮されることにより放熱し、この冷媒が放熱した熱で熱交換器１８を通過する空気を加熱する。
【００２１】
図２では、矢印によって冷房モード（冷房運転）と暖房モード（暖房運転）におけるそれぞれの冷媒の流れを示しており、四方弁２４の切り換えによって、運転モードが冷房モード（ドライモード）と暖房モードとが切り換えられ、電動膨張弁３６の弁開度を制御することにより、冷媒の蒸発温度が調整される。
【００２２】
図３には、室内ユニット１２の概略断面が示されている。この室内ユニット１２には、図示しない室内の壁面に取り付けられる取付ベース４０の上下（図２の紙面上下）に係止されるケーシング４２によって内部が覆われている。このケーシング４２内には、中央部にクロスフローファン４４が配置されている。熱交換器１８は、クロスフローファン４４の前面側から上面側に渡って配置されていおり、熱交換器１８とケーシング４２の前面側から上面側に形成されている吸込み口４６との間には、フィルタ４８が配置されている。また、ケーシング４２の下部には、吹出し口５０が形成されている。
【００２３】
これにより、室内ユニット１２では、クロスフローファン４４の回転によって、吸込み口４６から室内の空気が吸込まれフィルタ４８及び熱交換器１８を通過した後、吹出し口５０から室内へ向けて吹き出される。また、室内ユニット１２では、冷凍サイクルの運転によって熱交換器１８が冷却または加熱されており、室内から吸込んだ空気は、熱交換器１８を通過するときに、熱交換器１８によって冷却または加熱され、この空気が室内へ吹き出されることにより室内の空気調和が図られる。
【００２４】
吹出し口５０内には、左右フラップ５２及び上下フラップ５４が設けられており、左右フラップ５２及び上下フラップ５４によって、吹き出される空調風の向きが変えられるようになっている。上下フラップ５４は、図４に示すように、（１）〜（７）の位置まで変えられるようになっている。なお、（１）の位置と（２）の位置とは一例として約１８°の角度を成しており、同様に（２）と（３）、（３）と（４）、（４）と（５）、（５）と（６）の位置も約１８°の角度を成している。また、（６）の位置と（７）の位置とは約１０°の角度を成している。
【００２５】
図５に示されるように、室内ユニット１２には、電源基板５６、コントロール基板５８及びパワーリレー基板６０が設けられている。エアコン１０を運転するための電力が供給される電源基板５６には、モータ電源６２、制御回路電源６４、シリアル電源６６及び駆動回路６８が設けられている。また、コントロール基板５８には、シリアル回路７０、駆動回路７２及びマイコン７４が設けられている。
【００２６】
電源基板５６の駆動回路６８には、クロスフローファン４４を駆動するファンモータ７６（例えばＤＣブラシレスモータ）が接続されており、コントロール基板５８に設けられているマイコン７４からの制御信号に応じてモータ電源６２から駆動電力が供給される。このとき、マイコン７４は、駆動回路６８からの出力電圧を１２Ｖ〜３６Ｖの範囲で２５６ステップで変化させるように制御してファンモータ７６の速度制御を行う。
【００２７】
コントロール基板５８の駆動回路７２には、パワーリレー基板６０及び上下フラップ５４を操作する上下フラップモータ７８が接続されている。パワーリレー基板６０には、パワーリレー８０と温度ヒューズ等が設けられており、マイコン７４からの信号によって、パワーリレー８０を操作し、室外ユニット１４へ電力を供給するための接点８０Ａを開閉する。エアコン１０は、接点８０Ａが閉じられることにより、室外ユニット１４へ電力が供給されて運転される。
【００２８】
また、上下フラップモータ７８は、マイコン７４の制御信号に応じて制御されて、上下フラップ５４を操作する。上下フラップ５４が、上下方向へスイングされることにより、室内ユニット１２の吹出し口５０から吹き出される空気の吹出し方向が上下方向へ変えられる。この上下フラップ５４の操作は、吹出し風が任意の位置（図４において（１）〜（６）の位置）に向けられるように固定できるが、自動モードにおいては、図４において（１）〜（７）までの位置でランダムに変化させることができるようになっている。
【００２９】
このように、エアコン１０の室内ユニット１２では、クロスフローファン４４の回転と、上下フラップ５４の操作が制御されることにより、所望の風量及び風向または室内を快適にするために制御された風量及び風向で空調された空気を室内へ吹出すことができるようになっている。
【００３０】
シリアル回路７０は、マイコン７４及び電源回路５６のシリアル電源６６に接続され、さらに室外ユニット１４へ接続されている。マイコン７４は、このシリアル回路７０を介して室外ユニット１４との間でシリアル通信を行い、室外ユニット１４の作動を制御するようになっている。
【００３１】
また、室内ユニット１２には、後述するリモコン１２０からの操作信号を受信する受信回路及び運転表示用の表示ＬＥＤ等を備えた表示基板８２が設けられており、この表示基板８２がマイコン７４に接続されている。図１に示されるように、表示基板８２は表示部８２Ａがケーシング４２の表面に露出されており、リモコン１２０からの操作信号がこの表示部８２Ａで受信されて入力される。
【００３２】
図５に示されるように、マイコン７４には、ＲＯＭ７５、室内温度を検出する室温センサ８４及び熱交換器１８のコイル温度を検出する熱交温度センサ８６が接続され、さらに、コントロール基板５８に設けられているサービスＬＥＤ及び運転切換スイッチ８８が接続されている。なお、後述するリモコン１２０にも温度センサが設けられており、室内温度は通常は、リモコン１２０によって計測されて所定のタイミングで送出されてくるようになっている。
【００３３】
ＲＯＭ７５には、後述する風量や風向を１／ｆゆらぎに基づいて制御するのに必要なゆらぎデータ等の各種データが記憶されている。なお、ＲＯＭ７５は外付けのＲＯＭであるため、前記各種データは容易に変更することができる。
【００３４】
運転切換スイッチ８８は、通常運転とメンテナンス時等に行う試験運転との切換用であると共に、電源スイッチ８８Ａの接点を開放してエアコン１０への運転電力の供給を遮断できるようになっている。通常、この運転切換スイッチ８８は、通常運転に設定されている。なお、サービスＬＥＤは、メンテナンス時に点灯操作することにより、サービスマンに自己診断結果を知らせるようになっている。
【００３５】
この室内ユニット１２は、端子板９０のターミナル９０Ａ、９０Ｂ、９０Ｃを介して室外ユニット１４に接続されている。
【００３６】
一方、図６に示されるように、室外ユニット１４には、端子板９２が設けられ、この端子板９２のターミナル９２Ａ、９２Ｂ、９２Ｃがそれぞれ、室内ユニット１２の端子板９０のターミナル９０Ａ、９０Ｂ、９０Ｃに接続されている。これにより、室外ユニット１４には、室内ユニット１２から運転電力が供給されると共に、室内ユニット１２との間でシリアル通信が可能となっている。
【００３７】
この室外ユニット１４には、整流基板９４、コントロール基板９６が設けられている。コントロール基板９６には、マイコン９８と共に、ノイズフィルタ１００Ａ、１００Ｂ、１００Ｃ、シリアル回路１０２及びスイッチング電源１０４等が設けられている。
【００３８】
整流基板９４には、ノイズフィルタ１００Ａを介して供給される電力を整流し、ノイズフィルタ１００Ｂ、１００Ｃを介して平滑化してスイッチング電源１０４へ出力する。スイッチング電源１０４は、マイコン９８と共にインバータ回路１０６に接続されている。これにより、マイコン９８から出力される制御信号に応じた周波数の電力をインバータ回路１０６からコンプレッサモータ１０８へ出力して、コンプレッサ２６を回転駆動させるようになっている。
【００３９】
なお、マイコン９８は、インバータ回路１０６から出力される電力の周波数が、オフまたは１４Hz以上（上限は運転電流の上限による）の範囲となるように制御しており、これによって、コンプレッサモータ１０８、すなわちコンプレッサ２６の回転数が変えられ、コンプレッサ２６の能力（エアコン１０の冷暖房能力）が制御される。
【００４０】
このコントロール基板９６には、四方弁２４及び熱交換器３０を冷却するための図示しないファンを駆動するファンモータ１１０、ファンモータコンデンサ１１０Ａが接続されている。また、室外ユニット１４には、外気温度を検出する外気温度センサ１１２、熱交換器３０の冷媒コイルの温度を検出するコイル温度センサ１１４及びコンプレッサ２６の温度を検出するコンプレッサ温度センサ１１６が設けられており、これらがマイコン９８に接続されている。
【００４１】
マイコン９８は、運転モードに応じて四方弁２４を切り換えるとと共に、室内ユニット１２からの制御信号、外気温度センサ１１２、コイル温度センサ１１４及びコンプレッサ温度センサ１１６の検出結果に基づいて、ファンモータ１１０のオン／オフ及びコンプレッサモータ１０８の運転周波数（コンプレッサ２６の能力）等を制御するようになっている。
【００４２】
図７（Ａ）及び図７（Ｂ）には、エアコン１０の遠隔操作に用いられるリモコン１２０の一例が示されている。
【００４３】
リモコン１２０は、ケーシング１２２に矩形状の液晶パネルを用いた表示窓１２４が設けられている。図７（Ｂ）に示されるように、この表示窓１２４には、運転モード、設定温度、室内温度（室温）、風量等の種々の運転条件が表示可能となっている。図７（Ａ）に示されるように、エアコン１０の運転中は、運転モード、設定温度又は室温、風量等の設定された運転条件又は運転状態が選択されて表示されるようになっている。
【００４４】
図７（Ａ）及び図７（Ｂ）に示されるように、ケーシング１２２の表面には、運転／停止ボタン１２６、温度設定ボタン１２８Ａ、１２８Ｂ、１時間タイマ（１Ｈタイマ）ボタン１３０、省エネモード（以下、エコモードという）の運転条件を設定するためのワンタッチエコボタン１３２、運転モードを自動、暖房、ドライ、冷房、送風、空気清浄と順に切り換える運転切換ボタン１３８、室内ユニット１２の吹出し口５０から吹出す風量、風向の設定を切り換える風量ボタン１４０、風向ボタン１４２、快適な睡眠が得られるようにするための快眠ボタン１４４、アンペア切換ボタン１４６、タイマ入りボタン１５０、タイマ切ボタン１５２及びタイマ設定ボタン１５４が設けられており、エアコン１０の運転能力を種々に設定可能となっている。また、表示窓１２４にこれらの操作に応じた表示がなされる（例えば図７（Ａ）参照）。
【００４５】
エアコン１０は、運転／停止ボタン１２６の操作によって運転／停止される。また、表示窓１２４に表示される設定温度は、温度設定ボタン１２８Ａの操作によって高くなり、温度設定ボタン１２８Ｂの操作によって低くなる。
【００４６】
１時間タイマボタン１３０は、エアコン１０の運転時間を１時間に設定し、１時間経過するとリモコン１２０からエアコン１０の室内ユニット１２へ停止信号が送出されるようになっている。
【００４７】
ワンタッチエコボタン１３２は、運転停止中に押下した場合でも設定が記憶されるようになっている。このため、運転停止中にワンタッチエコボタン１３２を押下した後に運転開始した場合には自動的にエコモードに設定されるようになっている。逆に、運転中にワンタッチエコボタン１３２を押下して運転停止した場合でも設定を記憶しており、再度運転開始した場合には自動的にエコモードに設定される。すなわち、エコモードの設定及び解除は、ワンタッチエコボタン１３２を操作することによってのみ行うことができるようになっている。なお、エコモードは、冷房、暖房、ドライ及び自動の各運転モードで動作する。
【００４８】
アンペア切換ボタン１４６は、使用電気容量の設定の切り換え用であり、例えば使用電気容量を２０アンペアから１５アンペアに切り換えることができる。これにより最大電流値をセーブすることができるので、他の電気器具と併用しているときでもブレーカーダウンを防ぐことができる。
【００４９】
タイマ入りボタン１５０及びタイマ切ボタン１５２のそれぞれは、運転開始時間、運転停止時間の設定用となっており、例えば、タイマ入りボタン１５０の操作によって表示窓１２４に表示している予約時刻を進めたり戻したりして、所望の時間を表示させた後、タイマ設定ボタン１５４を操作することによりタイマ予約されるようになっている。
【００５０】
また、リモコン１２０のケーシング１２２には、カバー１３４が設けられており、このカバー１３４を取り外すと、図７（Ｂ）に示すようにリセットボタン１５６及びセンサ切換ボタン１５８が露出するようになっている。
【００５１】
図８には、リモコン１２０の機能ブロック図を示しており、リモコン１２０には、表示窓１２０の表示を行う表示部１６０、前記した種々の設定ボタンが設けられている操作部１６２、室内温度を検出する室温センサ１６４及び時間計測するための時計機能を備えたタイマ回路１６６が設けられており、これらがマイコンを備えたリモコン制御部１６８に接続されている。また、このリモコン制御部１６８には、室内ユニット１２へ操作信号を送出する送信部１７０が接続されている。
【００５２】
リモコン制御部１６８は、操作部１６２から入力される操作状態に応じたエアコン１０の操作信号を室内ユニット１２へ送出すると共に、室温センサ１６４の検出結果も送出するようになっている。また、リモコン制御部１６８は、室内ユニット１２が運転中であるか否かを確認している。この確認は、例えば、操作信号を送出したときに、室内ユニット１２からの受信応答などから確認するようになっている。
【００５３】
また、リモコン制御部１６８では、エアコン１０の運転がタイマ予約されたときには、この予約内容を記憶し、予約内容に応じて室内ユニット１２へ自動的に運転／停止信号を送出して、エアコン１０を運転／停止させるようになっている。
【００５４】
次に、本実施の形態の作用について説明する。
【００５５】
図９には、エアコン１０の運転中にエコモードが選択された場合のマイコン７４による制御の流れが示されている。
【００５６】
エアコン１０の運転中にリモコン１２０のワンタッチエコボタン１３２が押下されると、まず、ステップ２００において、現在の運転モードが冷房運転か否かを判断する。肯定判定だった場合にはステップ２０２で設定温度を２８．５°Ｃに設定し、否定判定だった場合には、ステップ２０４で運転モードが暖房運転か否かを判断する。ステップ２０４で肯定判定だった場合には、ステップ２０６で設定温度を２０．５°Ｃに設定し、否定判定だった場合、すなわち、運転モードがドライ運転または自動運転の場合にはステップ２０８で設定温度を室温センサ８４により検出した室温に設定する（ただし、２０°Ｃ〜２８°Ｃの範囲内で設定する）。なお、冷房及び暖房運転の場合には、リモコン１２０による設定温度の変更はできない。
【００５７】
ステップ２１０では、電流設定を下げる。すなわち、電気容量が２０Ａの場合には１５Ａに設定する。また、電気容量が１５Ａの場合には１０Ａに設定する。これにより、最大電流値をセーブすることができ、エネルギー消費を抑えることができる。なお、この場合はリモコン１２０のアンペア切換ボタン１４６を押下しても、電気容量は切り換わらない。
【００５８】
次に、ステップ２１２では、冷房運転か否かを判断し、肯定判定だった場合には、ステップ２１４で上下フラップ５４が（６）〜（３）の位置で１／ｆゆらぎに基づいたゆらぎスイングするように設定する。これによりゆらぎスイングが開始される。
【００５９】
ゆらぎスイングの制御は、まず、ＲＯＭ７５に記憶されたカオス演算式から求められた表１に示すようなゆらぎデータを１分ごとにＮｏ１〜Ｎｏ１２０までシフトさせて読み込む。そして、読み込んだゆらぎデータが例えば７０以上だった場合には（６）から（３）の位置で上下フラップ５４がスイングするように制御し、４０以上７０未満だった場合には（６）から（４）の位置で上下フラップ５４がスイングするように制御し、４０未満だった場合には（６）から（５）の位置で上下フラップ５４がスイングするように制御する。これにより、１分ごとにスイング幅が不規則に変化し、快適感を与えることができる。
【００６０】
【表１】
0004056146.tif 000002
次のステップ２１５では、１／ｆゆらぎに基づいてゆらぎ送風制御を行う。ゆらぎ送風制御は、ゆらぎスイング制御と同様に、ＲＯＭ７５に記憶されたカオス演算式から求められたゆらぎデータを１分ごとにシフトさせて読み込み、このゆらぎデータが所定値以上だった場合あるいは所定値未満だった場合等、所定の条件に基づいて風量を変化させる。これにより、１分ごとに風量が不規則に変化し、快適感を与えることができる。
【００６１】
ステップ２１６では、暖房運転中で、かつ風量が強風であるか否かを判断し、肯定判定だった場合にはステップ２２０へ進み、否定判定だった場合には、ステップ２１８で１／ｆゆらぎに基づいてゆらぎ送風制御を行う。ゆらぎ送風制御は、ステップ２１５で行うゆらぎ送風制御と同じである。
【００６２】
次にステップ２２０では、ドライ運転モードか否かを判断し、否定判定だった場合にはリターンし、肯定判定だった場合にはステップ２２２でコンプレッサ２６の運転周波数を４Ｈｚ下げる（室温２０°Ｃ以下の時の運転周波数と同じ）。これにより、エネルギー消費を抑えることができる。
【００６３】
このように、エコモードにおいて、運転モードに応じて風向や風量を１／ｆゆらぎに基づいて制御するので、運転能力を低下させて運転した場合でもある程度快適感を与えることができる。
【００６４】
なお、本実施の形態では、ゆらぎスイングを行う場合は（６）から（３）の位置でスイングするとして説明したが、これに限らず、適宜他の位置でゆらぎスイングするようにしてもよい。
【００６５】
【発明の効果】
以上説明した如く、請求項１記載の発明によれば、冷房運転では通常の冷房運転の設定温度よりも高めに、暖房運転では通常の暖房運転の設定温度よりも低めに設定温度を設定することで運転能力を若干低下させるとともに、抑制手段により運転電流の最大電流値を抑制するので、エネルギー消費を抑えることができる。
【００６６】
請求項２記載の発明によれば、省エネモード時には、風量を風量制御手段により１／ｆゆらぎに基づいて不規則に変化させるので、運転能力を若干低下させた省エネモードで運転した場合でも快適感を得ることができる。
【００６７】
請求項３記載の発明によれば、省エネモード時には、風向を変化させるフラップを１／ｆゆらぎに基づいて不規則に変化させるので、運転能力を若干低下させた省エネモードで運転した場合でも快適感を得ることができる。
【００６８】
請求項４記載の発明によれば、省エネモード時の除湿運転では、コンプレッサの周波数を所定値低下させるので、エネルギー消費を抑えることができる。
【図面の簡単な説明】
【図１】本実施の形態に適用したエアコンの概略構成図である。
【図２】本実施の形態に適用したエアコンの冷凍サイクルを示す概略図である。
【図３】室内ユニットを示す概略断面図である。
【図４】上下フラップの位置を示す概略図である。
【図５】室内ユニットの回路構成の概略を示すブロック図である。
【図６】室外ユニットの回路構成の概略を示すブロック図である。
【図７】（Ａ）はエアコンの運転中の表示の一例が示されているリモコンの平面図である。（Ｂ）はリモコンの表示窓に表示されるキャラクターの全てが表示されているリモコンの平面図である。
【図８】リモコンの一例を示す機能ブロック図である。
【図９】エコモード制御ルーチンの流れを示すフローチャートである。
【符号の説明】
１０    エアコン（空気調和機）
１２    室内ユニット
１４    室外ユニット
１８    熱交換器
２６    コンプレッサ
３０    熱交換器
７４    マイコン（シフト手段、抑制手段、風量制御手段、フラップ制御手段）
１２０    リモコン（選択手段）
【図１】
0004056146.tif 000003
【図２】
0004056146.tif 000004
【図３】
0004056146.tif 000005
【図４】
0004056146.tif 000006
【図５】
0004056146.tif 000007
【図６】
0004056146.tif 000008
【図７】
0004056146.tif 000009
【図８】
0004056146.tif 000010
【図９】
0004056146.tif 000011